(57)【要約】【課題】破断強度を確保しつつ、使用後に廃棄物として減容しやすい養生材及び梱包体を提供する。【解決手段】フローリング部材を保護する養生材１であって、シート状をなす本体部２と、少なくとも本体部２の一方側から他方側に向けて延びるとともに、本体部２よりも脆弱な脆弱部３と、を備え、平面視で、脆弱部３の長さは、脆弱部３の始点Ｐ１と終点Ｐ２とを結んだ仮想直線Ｌ１の長さよりも長い。【選択図】図５
2019178563.tif 000002
【特許請求の範囲】
【請求項１】
部材を保護する養生材であって、
シート状をなす本体部と、
少なくとも前記本体部の一方側から他方側に向けて延びるとともに、前記本体部よりも脆弱な脆弱部と、を備え、
平面視で、前記脆弱部の長さは、前記脆弱部の始点と終点とを結んだ仮想直線の長さよりも長いことを特徴とする養生材。
【請求項２】
平面視で、前記脆弱部の長さは、前記脆弱部の始点と終点とを結んだ仮想直線の長さの１．０５倍以上かつ６倍以下であることを特徴とする請求項１に記載の養生材。
【請求項３】
前記脆弱部は、前記本体部の一方側から他方側に向けて複数設けられ、
平面視で、隣り合う２つの前記脆弱部は、線対称に配置されていることを特徴とする請求項１又は２に記載の養生材。
【請求項４】
前記脆弱部は、前記本体部の一方側から他方側に向けて複数設けられ、
平面視で、隣り合う２つの前記脆弱部は、互いに同じ形状を有することを特徴とする請求項１又は２に記載の養生材。
【請求項５】
前記脆弱部は、
前記本体部の一方側から他方側に向けて延びる第一脆弱部と、
前記第一脆弱部と交差する方向に延びる第二脆弱部と、を備え、
前記本体部には、前記第一脆弱部と、前記第二脆弱部又は前記本体部の外周縁とによって囲まれる包囲部が設けられていることを特徴とする請求項１から４の何れか一項に記載の養生材。
【請求項６】
平面視で、前記包囲部の形状は、多角形であることを特徴とする請求項５に記載の養生材。
【請求項７】
平面視で、前記包囲部は、長手と短手とを有することを特徴とする請求項５又は６に記載の養生材。
【請求項８】
前記包囲部には、ラベルが貼付されているか、又は、情報が直接印刷されていることを特徴とする請求項５から７の何れか一項に記載の養生材。
【請求項９】
前記包囲部には、前記養生材の引張方向を示す記号が表示されていることを特徴とする請求項５から８の何れか一項に記載の養生材。
【請求項１０】
部材を梱包する梱包体であって、
請求項１から９の何れか一項に記載の養生材を含むことを特徴とする梱包体。
【発明の詳細な説明】
【技術分野】
【０００１】
本発明は、養生材及び梱包体に関する。
【背景技術】
【０００２】
従来、部材を保護する養生材において、例えば特許文献１に開示されたものがある。特許文献１は、養生シートに格子状のミシン目を入れたものである。これにより、養生シートの一部のみを剥離することができる。
【先行技術文献】
【特許文献】
【０００３】
【特許文献１】特開平７−３１８６９３号公報
【発明の概要】
【発明が解決しようとする課題】
【０００４】
ところで、部材を保護する性能を確保する観点からは、養生材は破断しにくいことが好ましい。しかし、ミシン目が格子状であると、廃棄物として減容はしやすいが、ミシン目に沿って破断しやすいという課題があった。
【０００５】
そこで本発明は、破断強度を確保しつつ、使用後に廃棄物として減容しやすい養生材及び梱包体を提供することを目的とする。
【課題を解決するための手段】
【０００６】
上記課題の解決手段として、本発明の一態様は、部材を保護する養生材であって、シート状をなす本体部と、少なくとも前記本体部の一方側から他方側に向けて延びるとともに、前記本体部よりも脆弱な脆弱部と、を備え、平面視で、前記脆弱部の長さは、前記脆弱部の始点と終点とを結んだ仮想直線の長さよりも長いことを特徴とする。
本発明の一態様は、平面視で、前記脆弱部の長さは、前記脆弱部の始点と終点とを結んだ仮想直線の長さの１．０５倍以上かつ６倍以下であることを特徴とする。
本発明の一態様は、前記脆弱部は、前記本体部の一方側から他方側に向けて複数設けられ、平面視で、隣り合う２つの前記脆弱部は、線対称に配置されていることを特徴とする。
本発明の一態様は、前記脆弱部は、前記本体部の一方側から他方側に向けて複数設けられ、平面視で、隣り合う２つの前記脆弱部は、互いに同じ形状を有することを特徴とする。
本発明の一態様は、前記脆弱部は、前記本体部の一方側から他方側に向けて延びる第一脆弱部と、前記第一脆弱部と交差する方向に延びる第二脆弱部と、を備え、前記本体部には、前記第一脆弱部と、前記第二脆弱部又は前記本体部の外周縁とによって囲まれる包囲部が設けられていることを特徴とする。
本発明の一態様は、平面視で、前記包囲部の形状は、多角形であることを特徴とする。
本発明の一態様は、平面視で、前記包囲部は、長手と短手とを有することを特徴とする。
本発明の一態様は、前記包囲部には、ラベルが貼付されているか、又は、情報が直接印刷されていることを特徴とする。
本発明の一態様は、前記包囲部には、前記養生材の引張方向を示す記号が表示されていることを特徴とする。
本発明の一態様は、部材を梱包する梱包体であって、請求項１から９の何れか一項に記載の養生材を含むことを特徴とする。
【発明の効果】
【０００７】
本発明の一態様によれば、平面視で脆弱部の長さが仮想直線の長さよりも長いことで、平面視で脆弱部の長さが仮想直線と同じ場合と比較して、脆弱部の長さが長くなるため、養生材にかかる引張力が脆弱部で分散されやすくなる。すなわち、平面視で脆弱部の長さが仮想直線の長さと同じ場合と比較して、脆弱部に沿って養生材が破断しにくくなる。したがって、破断強度を確保しつつ、使用後に廃棄物として減容しやすい養生材を提供することができる。
本発明の一態様によれば、平面視で脆弱部の長さが脆弱部の始点と終点とを結んだ仮想直線の長さの１．０５倍以上かつ６倍以下であることで、養生材の破断強度を確保しつつ、養生材を使用後に廃棄物として減容することができる。仮に、脆弱部の長さが仮想直線の長さの１．０５倍未満であると、養生材の破断強度を確保することが困難となる可能性がある。一方、脆弱部の長さが仮想直線の長さの６倍を超えると、養生材を使用後に廃棄物として減容することが困難となる可能性がある。
本発明の一態様によれば、脆弱部が本体部の一方側から他方側に向けて複数設けられていることで、複数の脆弱部で養生材を千切ることができるため、養生材を細分化することができる。したがって、養生材を使用後に廃棄物として減容しやすくなる。加えて、平面視で隣り合う２つの脆弱部が線対称に配置されていることで、養生材に引張力を付与したときに、養生材を引き離す方向へ作用する力（以下「引離力）ともいう。）を互いに異ならせることができる。したがって、養生材を破断しにくくすることができる。
本発明の一態様によれば、脆弱部が本体部の一方側から他方側に向けて複数設けられていることで、複数の脆弱部で養生材を千切ることができるため、養生材を細分化することができる。したがって、養生材を使用後に廃棄物として減容しやすくなる。加えて、平面視で隣り合う２つの脆弱部が互いに同じ形状を有することで、複数の脆弱部で養生材を千切ったときに、細分化した養生材（すなわち、養生材を細分化して得られる複数の破断片）をそれぞれ同じ形状とすることができる。したがって、養生材を使用後に廃棄物として一層減容しやすくなる。
本発明の一態様によれば、本体部には、第一脆弱部と、第二脆弱部又は本体部の外周縁とによって囲まれる包囲部が設けられていることで、包囲部に沿って養生材を千切ることができるため、養生材を更に細分化することができる。したがって、養生材を使用後に廃棄物として一層減容しやすくなる。
本発明の一態様によれば、平面視で包囲部の形状が多角形であることで、包囲部の形状が出隅のみで構成されるため、包囲部の形状が入隅を含む場合と比較して、包囲部に沿って養生材を千切りやすくなるため、養生材を細分化しやすくなる。したがって、養生材を使用後に廃棄物として一層減容しやすくなる。加えて、複数の破断片を袋詰めすることによって反発が少なく減容できるため、積み重ねて運搬したり、圧縮梱包したりしやすくなる。したがって、運搬工数を削減し、低コスト化を図ることができる。
本発明の一態様によれば、平面視で、包囲部が長手と短手とを有することで、養生材の引張方向を包囲部の長手方向とした場合は、養生材の引張方向を包囲部の短手方向とした場合よりも養生材を破断しにくくすることができる。
本発明の一態様によれば、包囲部には、ラベルが貼付されているか、又は、情報が直接印刷されていることで、ラベルが貼付された包囲部（又は情報が直接印刷された包囲部）のみを切り取ることにより、包囲部を混合廃棄物、前記包囲部以外の他の部分を単一性状廃棄物として容易に分別し、リサイクルすることができる。特に、包囲部に情報が直接印刷されている場合には、ラベルが不要となるため、ラベルに用いる紙資源などの発生を抑制することができる。
本発明の一態様によれば、包囲部には養生材の引張方向を示す記号が表示されていることで、養生材の引張方向を容易に把握することができる。
本発明の一態様によれば、梱包体が上記養生材を含むことで、破断強度を確保しつつ、使用後に廃棄物として減容しやすい梱包体を提供することができる。
【図面の簡単な説明】
【０００８】
【図１】第一実施形態に係る養生材の平面図である。
【図２】上記養生材における第一脆弱部の説明図である。
【図３】上記養生材における第二脆弱部の説明図である。
【図４】上記養生材における包囲部の説明図である。
【図５】上記第一脆弱部の長さの説明図である。
【図６】上記養生材の引張方向と脆弱部傾斜角度との関係を示す図である。
【図７】上記養生材の引張方向と脆弱部傾斜角度との関係を示す図である。
【図８】上記養生材の引張方向と脆弱部傾斜角度との関係を示す図である。
【図９】上記養生材の引張方向と脆弱部の配置との関係を示す図である。
【図１０】上記養生材の引張方向と脆弱部の配置との関係を示す図である。
【図１１】比較例に係る養生材の平面図である。
【図１２】第一実施形態の第一変形例に係る養生材の平面図である。
【図１３】第一実施形態の第二変形例に係る養生材の平面図である。
【図１４】第一実施形態の第三変形例に係る養生材の平面図である。
【図１５】第一実施形態の第四変形例に係る養生材の平面図である。
【図１６】第一実施形態の第五変形例に係る養生材の平面図である。
【図１７】第一実施形態の第六変形例に係る養生材の平面図である。
【図１８】第一実施形態の第七変形例に係る養生材の平面図である。
【図１９】第一実施形態の第八変形例に係る養生材の平面図である。
【図２０】第一実施形態の第九変形例に係る養生材の平面図である。
【図２１】第一実施形態の第十変形例に係る養生材の平面図である。
【図２２】第一実施形態の第十一変形例に係る養生材の平面図である。
【図２３】第一実施形態の第十二変形例に係る養生材の平面図である。
【図２４】第一実施形態の第十三変形例に係る養生材の平面図である。
【図２５】第一実施形態の第十四変形例に係る養生材の平面図である。
【図２６】第一実施形態の第十五変形例に係る養生材の平面図である。
【図２７】第一実施形態の第十六変形例に係る養生材の平面図である。
【図２８】第一実施形態の第十七変形例に係る養生材の平面図である。
【図２９】第一実施形態の第十八変形例に係る養生材の平面図である。
【図３０】第二実施形態に係る養生材の斜視図である。
【図３１】第二実施形態に係る養生材を用いた巻回方法の説明図である。
【図３２】図３１に続く、上記巻回方法の説明図である。
【図３３】第三実施形態に係る梱包体の斜視図である。
【図３４】上記梱包体の展開図である。
【発明を実施するための形態】
【０００９】
＜第一実施形態＞
以下、本発明の第一実施形態について図面を参照して説明する。以下の説明では、本発明の養生材を、内装材であるフローリング部材を保護する養生材に適用した例を挙げて説明する。ここで、フローリング部材は、請求項に記載の「部材」に相当する。
【００１０】
＜養生材＞
図１の平面視で、養生材１は、矩形状をなしている。例えば、養生材１を２つのフローリング部材（不図示）の間に挟んだとき、養生材１は、２つのフローリング部材の間の衝突や衝撃を緩め和らげる緩衝材として機能する。
【００１１】
養生材１は、シート状をなす本体部２と、少なくとも本体部２の一方側から他方側に向けて延びるとともに、本体部２よりも脆弱な脆弱部３と、を備えている。図１において、符号２ａは養生材１（本体部２）の第一辺、符号２ｂは第一辺２ａと対向する第二辺、符号２ｃは第一辺２ａ及び第二辺２ｂと隣接する第三辺、符号２ｄは第三辺２ｃと対向する第四辺をそれぞれ示す。
【００１２】
＜本体部＞
本体部２は、全体的に均一な厚みを有する。例えば、本体部２は、縦幅２０００ｍｍ、横幅４００ｍｍ、厚み４ｍｍのミラーマット（発泡ポリエチレンシート）である。
【００１３】
＜脆弱部＞
脆弱部３は、養生材１に引張力を付与したときに、本体部２よりも破断しやすい部分である。実施形態において、脆弱部３はミシン目である。実施形態において、ミシン目は、本体部２を厚み方向に貫通する複数の貫通孔が、本体部２の一方側から他方側に向けて間欠的に設けられたものである。図１の平面視で、脆弱部３は、本体部２において六角形を隙間なく並べた構造（いわゆるハニカム構造）を有している。
【００１４】
脆弱部３は、本体部２の一方側から他方側に向けて延びる第一脆弱部４（図２参照）と、第一脆弱部４と交差する方向に延びる第二脆弱部５（図３参照）と、を備えている。図１の平面視で、第一脆弱部４と第二脆弱部５とが交差する交点（以下、「脆弱部交点Ｐｃ」ともいう。）からのミシン目の分岐数は３である。
【００１５】
＜第一脆弱部＞
図２の平面視で、第一脆弱部４は、本体部２の第一辺２ａから第二辺２ｂにかけて本体部２を横断するようにジグザグ状に延びている。すなわち、第一脆弱部４は、本体部２の第一辺２ａから第二辺２ｂに向けて延びる折れ線形状をなしている。第一脆弱部４は、第一辺２ａと平行な方向（以下「第一方向Ｖ１」ともいう。）に間隔をあけて複数設けられている。
【００１６】
図２において、第一脆弱部４は、第一方向Ｖ１に間隔をあけて４つ設けられている。図２の平面視で、隣り合う２つの第一脆弱部４は、線対称に配置されている。図２において、符号Ｃ１は隣り合う２つの第一脆弱部４の中間を通り且つ第一辺２ａと第二辺２ｂとを結ぶ直線（対称軸）を示す。
【００１７】
図２の平面視で、対称軸Ｃ１よりも第三辺２ｃ側に位置する第一脆弱部４ａ（以下「第三辺側第一脆弱部４ａ」ともいう。）は、本体部２の第一辺２ａ（第三辺側第一脆弱部４ａの一端）から第二辺２ｂ側ほど第四辺２ｄ側に位置するように傾斜して延びる第四辺側傾斜部４ｄと、第四辺側傾斜部４ｄにおける第二辺２ｂ側の端部から第三辺２ｃ側に屈曲して第二辺２ｂ側ほど第三辺２ｃ側に位置するように傾斜して延びる第三辺側傾斜部４ｃと、が第三辺２ｃと平行な方向（以下「第二方向Ｖ２」ともいう。）に交互に並んで構成されている。
【００１８】
一方、図２の平面視で、対称軸Ｃ１よりも第四辺２ｄ側に位置する第一脆弱部４ｂ（以下「第四辺側第一脆弱部４ｂ」ともいう。）は、本体部２の第一辺２ａ（第四辺側第一脆弱部４ｂの一端）から第二辺２ｂ側ほど第三辺２ｃ側に位置するように傾斜して延びる第三辺側傾斜部４ｃと、第三辺側傾斜部４ｃにおける第二辺２ｂ側の端部から第四辺２ｄ側に屈曲して第二辺２ｂ側ほど第四辺２ｄ側に位置するように傾斜して延びる第四辺側傾斜部４ｄと、が第二方向Ｖ２に交互に並んで構成されている。なお、第二方向Ｖ２は、第一方向Ｖ１と直交する方向である。
【００１９】
＜第二脆弱部＞
図３の平面視で、第二脆弱部５は、本体部２の第三辺２ｃから第四辺２ｄにかけて本体部２を横断するように屈曲しながら延びている。具体的に、図３の平面視で、第二脆弱部５は、本体部２の第三辺２ｃ（第二脆弱部５の一端）から第四辺２ｄに向けて直線状に延びる第一直線部５ａ１と、第一直線部５ａ１における第四辺２ｄ側の端部から第一辺２ａ側に屈曲して第四辺２ｄ側ほど第一辺２ａ側に位置するように傾斜して延びる第一辺側傾斜部５ａ２と、を有する第一折れ線部５ａと、第一辺側傾斜部５ａ２における第四辺２ｄ側の端部から第四辺２ｄに向けて直線状に延びる第二直線部５ｂ１と、第二直線部５ｂ１における第四辺２ｄ側の端部から第二辺２ｂ側に屈曲して第四辺２ｄ側ほど第二辺２ｂ側に位置するように傾斜して延びる第二辺側傾斜部５ｂ２と、を有する第二折れ線部５ｂと、が第一方向Ｖ１に交互に並んで構成されている。
【００２０】
第二脆弱部５は、第二方向Ｖ２に間隔をあけて複数設けられている。図３において、第二脆弱部５は、第二方向Ｖ２に間隔をあけて３つ設けられている。図３の平面視で、隣り合う２つの第二脆弱部５は、互いに同じ形状を有している。なお、図３の平面視で、第二脆弱部５の一部（第一辺側傾斜部５ａ２及び第二辺側傾斜部５ｂ２）は、第一脆弱部４（図２参照）の一部と重なっている。
【００２１】
＜包囲部＞
図４に示すように、本体部２には、第一脆弱部４（図２参照）と、第二脆弱部５（図３参照）又は本体部２の外周縁２ｅとによって囲まれる包囲部６が設けられている。ここで、本体部２の外周縁２ｅは、本体部２の第一辺２ａ、第二辺２ｂ、第三辺２ｃ及び第四辺２ｄを外形とする部分である。図４の平面視で、本体部２の外周縁２ｅは、矩形枠状をなしている。
【００２２】
図４の平面視で、包囲部６の形状は、多角形である。言い換えると、包囲部６の形状は、出隅で構成されている。すなわち、包囲部６の形状には、入隅が設けられていない。具体的に、図４の平面視で、本体部２には、六角形状の六角形包囲部６ａと、台形状の台形包囲部６ｂと、三角形状の三角形包囲部６ｃと、五角形状の五角形包囲部６ｄと、が設けられている。便宜上、図４においては、六角形包囲部６ａ、台形包囲部６ｂ、三角形包囲部６ｃ及び五角形包囲部６ｄをドットハッチで示している。
【００２３】
図４において、本体部２には、７つの六角形包囲部６ａと、４つの台形包囲部６ｂと、３つの三角形包囲部６ｃと、３つの五角形包囲部６ｄと、が設けられている。図４の平面視で、７つの六角形包囲部６ａと、４つの台形包囲部６ｂと、３つの三角形包囲部６ｃと、３つの五角形包囲部６ｄとは、それぞれ互いに同じ形状を有している。
【００２４】
図４の平面視で、７つの六角形包囲部６ａは、隣り合う２つの六角形包囲部６ａの１辺同士が重なり合うように密集して配置されている。図４の平面視で、台形包囲部６ｂは、密集した７つの六角形包囲部６ａ（以下「密集包囲部６ｅ」ともいう。）と本体部２の第一辺２ａ及び第二辺２ｂとの間を隙間なく埋めるように配置されている。図４の平面視で、三角形包囲部６ｃは、密集包囲部６ｅと本体部２の第四辺２ｄとの間を隙間なく埋めるように配置されている。図４の平面視で、五角形包囲部６ｄは、密集包囲部６ｅと本体部２の第三辺２ｃとの間を隙間なく埋めるように配置されている。図４において、本体部２には、六角形包囲部６ａ、台形包囲部６ｂ、三角形包囲部６ｃ及び五角形包囲部６ｄの少なくとも１つを組み合わせた異形状をなす異形包囲部（密集包囲部６ｅを含む。）が設けられている。
【００２５】
図４の平面視で、包囲部６は、長手と短手とを有している。具体的に、図４の平面視で、六角形包囲部６ａ及び台形包囲部６ｂは、第一方向Ｖ１に長手を有し、第二方向Ｖ２に短手を有している。一方、図４の平面視で、三角形包囲部６ｃは、第二方向Ｖ２に長手を有し、第一方向Ｖ１に短手を有している。
【００２６】
＜脆弱部の長さ＞
本発明者は、鋭意研究の結果、脆弱部の長さと養生材の破断強度との間には高い相関があり、平面視で、脆弱部の長さを、脆弱部の始点と終点とを結んだ仮想直線の長さよりも長くすれば、養生材の破断強度を大きく（すなわち養生材を破断しにくく）することができることを見出し、本発明に至った。これは、平面視で、脆弱部の長さが仮想直線の長さよりも長いと、平面視で脆弱部の長さが仮想直線と同じ場合と比較して、脆弱部の長さが長くなるため、養生材にかかる引張力が脆弱部で分散されやすくなるからである。
【００２７】
図５では、第一脆弱部４の長さを例に挙げて説明する。
図５の平面視で、第一脆弱部４の長さは、第一脆弱部４の始点Ｐ１と終点Ｐ２とを結んだ仮想直線Ｌ１の長さよりも長い。ここで、第一脆弱部４の長さは、本体部２の第一辺２ａから第二辺２ｂにかけて本体部２を横断する第一脆弱部４の全長である。第一脆弱部４の始点Ｐ１は、本体部２の第一辺２ａ上における第一脆弱部４の一端である。第一脆弱部４の終点Ｐ２は、本体部２の第二辺２ｂ上における第一脆弱部４の他端である。仮想直線Ｌ１は、始点Ｐ１と終点Ｐ２とを最短距離で結んだ直線である。実施形態において、仮想直線Ｌ１は、本体部２の第三辺２ｃと平行である。仮想直線Ｌ１の長さは、本体部２の第三辺２ｃの長さと同じである。実施形態において、第一脆弱部４の長さは、仮想直線Ｌ１の長さの約１．４１倍である。
【００２８】
＜養生材の引張方向と脆弱部との関係＞
本発明者は、鋭意研究の結果、養生材の引張方向に対する脆弱部の傾斜方向と、養生材の破断強度との間には高い相関があり、平面視で、脆弱部の少なくとも一部と養生材の引張方向と直交する基準線とのなす角度（以下「脆弱部傾斜角度」ともいう。）が大きいほど、養生材の破断強度を大きく（すなわち養生材を破断しにくく）することができることを見出し、本発明に至った。これは、脆弱部傾斜角度が大きいほど、養生材の引張力のうち脆弱部の傾斜部と直交する成分（引離力）が小さくなるためである。
【００２９】
以下、図６〜図８を参照しつつ、養生材の引張方向と脆弱部傾斜角度との関係を、養生材１の引張方向Ｖｔと脆弱部３の一部（第三辺側傾斜部４ｃ）との関係を例にあげて説明する。なお、図６〜図８において、第三辺側傾斜部４ｃの長さはそれぞれ同じ長さとしている。
【００３０】
図６の平面視で、脆弱部３における第三辺側傾斜部４ｃは、養生材１の引張方向Ｖｔと直交する基準線Ｈ１に対して角度Ａ１（脆弱部傾斜角度）をなしている。ここで、基準線Ｈ１は、本体部２の第一辺２ａと第二辺２ｂとを結んだ最短の長さの直線（例えば、図２に示す対称軸Ｃ１）と平行である。
【００３１】
図７の平面視で、第三辺側傾斜部４ｃは、脆弱部傾斜角度Ａ１よりも大きい脆弱部傾斜角度Ａ２を有している（Ａ１＜Ａ２）。
図８の平面視で、第三辺側傾斜部４ｃは、脆弱部傾斜角度Ａ２よりも大きい脆弱部傾斜角度Ａ３を有している（Ａ２＜Ａ３）。
【００３２】
図６〜図８において、矢印Ｆ１は養生材１の引張力、矢印Ｆ２は引張力Ｆ１のうち第三辺側傾斜部４ｃに平行な成分（分散力）、矢印Ｆ３は引張力Ｆ１のうち第三辺側傾斜部４ｃと直交する成分（引離力）をそれぞれ示している。
【００３３】
図６〜図８に示すように、平面視で、脆弱部傾斜角度が大きいほど（Ａ１＜Ａ２＜Ａ３）、分散力Ｆ２は大きくなっている。一方、平面視で、脆弱部傾斜角度が大きいほど（Ａ１＜Ａ２＜Ａ３）、引離力Ｆ３は小さくなっている。
【００３４】
実施形態においては、図４に示すように、養生材１の引張方向Ｖｔを、第一方向Ｖ１と平行な方向であって、第三辺２ｃの外方に向かう方向としている。すなわち、養生材１の引張方向Ｖｔを包囲部６の長手方向としている。実施形態では、養生材１の第四辺２ｄ側を固定した状態で、養生材１の第三辺２ｃ側の端部を外方（引張方向Ｖｔ）に引っ張る場合を想定している。
【００３５】
平面視で、脆弱部傾斜角度Ａは、１８度以上かつ８０度以下の角度とすることが好ましい。脆弱部傾斜角度Ａが１８度未満であると、養生材１の破断強度を確保することが困難となる可能性があるためである。一方、脆弱部傾斜角度Ａが８０度を超えると、養生材１を使用後に廃棄物として減容することが困難となる可能性があるためである。実施形態において、脆弱部傾斜角度Ａ（図５参照）は、４５度である。
【００３６】
本発明者は、鋭意研究の結果、養生材の引張方向に対する脆弱部の傾斜方向と、養生材の破断強度との間には高い相関があり、平面視で隣り合う２つの脆弱部を線対称に配置すれば、養生材の破断強度を大きく（すなわち養生材を破断しにくく）することができることを見出し、本発明に至った。これは、平面視で隣り合う２つの脆弱部を線対称に配置すると、平面視で隣り合う２つの脆弱部の傾斜方向が逆向きになるため、養生材に引張力を付与したときに、養生材を引き離す方向へ作用する力（引離力）を互いに異ならせることができるからである。
【００３７】
以下、図９〜図１０を参照しつつ、養生材の引張方向と脆弱部の配置との関係を、養生材１の引張方向Ｖｔと脆弱部３の一部（第三辺側傾斜部４ｃ及び第四辺側傾斜部４ｄ）との関係を例にあげて説明する。なお、図９及び図１０において、傾斜部（第三辺側傾斜部４ｃ及び第四辺側傾斜部４ｄ）の長さはそれぞれ同じ長さとしている。
【００３８】
図９の平面視で、隣り合う２つの傾斜部（第三辺側傾斜部４ｃ）は、互いに平行をなしている。
図１０の平面視で、隣り合う２つの傾斜部（第三辺側傾斜部４ｃ及び第四辺側傾斜部４ｄ）は、線対称に配置されている。図１０において、符号Ｃ１は隣り合う２つの傾斜部（第三辺側傾斜部４ｃ及び第四辺側傾斜部４ｄ）の対称軸を示す。
【００３９】
図９及び図１０において、矢印Ｆ１は養生材１の引張力、矢印Ｆ２は引張力Ｆ１のうち傾斜部（第三辺側傾斜部４ｃ及び第四辺側傾斜部４ｄ）に平行な成分（分散力）、矢印Ｆ３は引張力Ｆ１のうち傾斜部（第三辺側傾斜部４ｃ及び第四辺側傾斜部４ｄ）と直交する成分（引離力）をそれぞれ示している。
【００４０】
図９に示すように、平面視で隣り合う２つの傾斜部（第三辺側傾斜部４ｃ）が互いに平行をなしていると、それぞれの引離力Ｆ３が同じ方向を向く。
これに対し、図１０に示すように、平面視で隣り合う２つの傾斜部（第三辺側傾斜部４ｃ及び第四辺側傾斜部４ｄ）が線対称に配置されていると、それぞれの引離力Ｆ３が異なる方向を向く。すなわち、平面視で隣り合う２つの脆弱部３の傾斜方向が逆向きになるため、養生材１に引張力Ｆ１を付与したときに、養生材１を引き離す方向へ作用する力（引離力Ｆ３）を互いに異ならせることができる。
【００４１】
以上説明したように、上記実施形態は、フローリング部材を保護する養生材１であって、シート状をなす本体部２と、少なくとも本体部２の一方側から他方側に向けて延びるとともに、本体部２よりも脆弱な脆弱部３と、を備え、平面視で、脆弱部３の長さは、脆弱部３の始点Ｐ１と終点Ｐ２とを結んだ仮想直線Ｌ１の長さよりも長い。
この構成によれば、平面視で脆弱部３の長さが仮想直線Ｌ１の長さよりも長いことで、平面視で脆弱部３の長さが仮想直線Ｌ１と同じ場合（図１１に示す格子状のミシン目３Ｘを有する養生材１Ｘ、以下「比較例」ともいう。）と比較して、脆弱部３の長さが長くなるため、養生材１にかかる引張力が脆弱部３で分散されやすくなる。すなわち、平面視で脆弱部３の長さが仮想直線Ｌ１の長さと同じ場合と比較して、脆弱部３に沿って養生材１が破断しにくくなる。したがって、破断強度を確保しつつ、使用後に廃棄物として減容しやすい養生材１を提供することができる。
【００４２】
また、上記実施形態では、脆弱部３が本体部２の一方側から他方側に向けて複数設けられていることで、複数の脆弱部３で養生材１を千切ることができるため、養生材１を細分化することができる。したがって、養生材１を使用後に廃棄物として減容しやすくなる。
【００４３】
また、上記実施形態では、平面視で隣り合う２つの第一脆弱部４が線対称に配置されていることで、養生材１に引張力を付与したときに、養生材１を引き離す方向へ作用する力（引離力）を互いに異ならせることができる。したがって、養生材１を破断しにくくすることができる。
【００４４】
また、上記実施形態では、平面視で隣り合う２つの第二脆弱部５が互いに同じ形状を有することで、複数の第二脆弱部５で養生材１を千切ったときに、細分化した養生材１（すなわち、養生材１を細分化して得られる複数の破断片）をそれぞれ同じ形状とすることができる。したがって、養生材１を使用後に廃棄物として一層減容しやすくなる。
【００４５】
また、上記実施形態では、本体部２には、第一脆弱部４と、第二脆弱部５又は本体部２の外周縁２ｅとによって囲まれる包囲部６が設けられていることで、包囲部６に沿って養生材１を千切ることができるため、養生材１を更に細分化することができる。したがって、養生材１を使用後に廃棄物として一層減容しやすくなる。
【００４６】
また、上記実施形態では、平面視で包囲部６の形状が多角形であることで、包囲部６の形状が出隅のみで構成されるため、包囲部６の形状が入隅を含む場合と比較して、包囲部６に沿って養生材１を千切りやすくなるため、養生材１を細分化しやすくなる。したがって、養生材１を使用後に廃棄物として一層減容しやすくなる。加えて、複数の破断片を袋詰めすることによって反発が少なく減容できるため、積み重ねて運搬したり、圧縮梱包したりしやすくなる。したがって、運搬工数を削減し、低コスト化を図ることができる。
【００４７】
また、上記実施形態では、平面視で包囲部６が長手と短手とを有することで、養生材１の引張方向Ｖｔを包囲部６の長手方向とした場合は、養生材１の引張方向Ｖｔを包囲部６の短手方向とした場合よりも養生材１を破断しにくくすることができる。
【００４８】
また、上記実施形態では、平面視で第一脆弱部４が本体部２の第一辺２ａから第二辺２ｂにかけて延びる折れ線形状をなしていることで、平面視で第一脆弱部４が本体部２の第一辺２ａから第二辺２ｂにかけて直線状に延びている場合よりも養生材１を破断しにくくすることができる。
【００４９】
また、上記実施形態では、脆弱部傾斜角度Ａが４５度であることで、養生材１の破断強度を確保しつつ、養生材１を使用後に廃棄物として減容することができる。なお、脆弱部傾斜角度は、１８度以上かつ８０度以下であることが好ましい。仮に、脆弱部傾斜角度が１８度未満であると、養生材１の破断強度を確保することが困難となる可能性がある。一方、脆弱部傾斜角度が８０度を超えると、養生材１を使用後に廃棄物として減容することが困難となる可能性がある。
【００５０】
また、上記実施形態では、脆弱部交点Ｐｃからの分岐数が３であることで、養生材１を使用後に廃棄物として減容しやすい。なお、脆弱部交点Ｐｃからの分岐数は２以上かつ４以下であることが好ましい。仮に、脆弱部交点Ｐｃからの分岐数が４を超えると、養生材１が細分化され過ぎてしまい、養生材１を使用後に廃棄物として減容することが困難となる可能性がある。
【００５１】
また、上記実施形態では、脆弱部３の長さが仮想直線Ｌ１の長さの１．４１倍であることで、養生材１の破断強度を確保しつつ、養生材１を使用後に廃棄物として減容することができる。なお、脆弱部３の長さは、仮想直線Ｌ１の長さの１．０５倍以上かつ６倍以下であることが好ましい。脆弱部３の長さが仮想直線Ｌ１の長さの１．０５倍未満であると、養生材１の破断強度を確保することが困難となる可能性がある。一方、脆弱部３の長さが仮想直線Ｌ１の長さの６倍を超えると、養生材１を使用後に廃棄物として減容することが困難となる可能性がある。
ここで、第一脆弱部４が本体部２の第一辺２ａから第二辺２ｂに向けて延びる折れ線形状をなしている場合において、脆弱部３の長さが仮想直線Ｌ１の長さの１．０５倍のとき、脆弱部傾斜角度は約１８度となり、脆弱部３の長さが仮想直線Ｌ１の長さの６倍のとき、脆弱部傾斜角度は約８０度となる。
【００５２】
＜第一実施形態の実施例＞
本願発明者は、本実施形態の有効性を確認すべく、養生材の破断強度の評価試験を行った。
実施例は、図１に示す構成の養生材１を用いた。
比較例は、図１１に示す構成の養生材１Ｘを用いた。
評価試験は、養生材１の第四辺２ｄ側を固定した状態で、養生材１の第三辺２ｃ側の端部を外方（引張方向Ｖｔ）に引っ張ることで破断強度を測定した（図４参照）。なお、評価試験は、実施例及び比較例で同一条件とした。破断強度の測定は、アイガーツール社製のデジタルスケール（型番：Ｉ４１９２−７１７Ｅ）を用いた。破断強度は、評価試験を実施例及び比較例についてそれぞれ５回行った平均値とした。
評価試験の結果、比較例の破断強度は２．４ｋｇ、本実施例（第一実施形態）の破断強度は３．４ｋｇであった。
【００５３】
＜第一実施形態の変形例＞
以下、第一実施形態の変形例について説明する。なお、以下の説明においては、上述した実施形態と同様の構成については同一の符号を付して説明を省略する。
上記実施形態では、図１の平面視で、脆弱部３は、本体部２において六角形を隙間なく並べた構造（いわゆるハニカム構造）を有している例を挙げて説明したが、これに限らない。例えば、平面視で、脆弱部は、本体部において六角形以外の形状を隙間なく並べた構造を有していてもよい。
【００５４】
＜第一変形例＞
例えば、図１２の平面視で、脆弱部１３は、本体部２において、台形を隙間なく並べた構造を有していてもよい。脆弱部１３は、本体部２の第一辺２ａから第二辺２ｂにかけて本体部２を横断するようにジグザグ状に延びる複数の第一脆弱部１４と、第一脆弱部１４と交差するように第一方向Ｖ１に直線状に延びる複数の第二脆弱部１５と、を備えている。図１２の平面視で、脆弱部交点Ｐｃからのミシン目の分岐数は４である。
【００５５】
図１２の平面視で、第一脆弱部１４の長さは、第一脆弱部１４の始点Ｐ１と終点Ｐ２とを結んだ仮想直線Ｌ１の長さよりも長い。
図１２の平面視で、隣り合う２つの第一脆弱部１４は、線対称に配置されている。図１２において、符号は対称軸Ｃ１を示す。
図１２の平面視で、隣り合う２つの第二脆弱部１５は、互いに同じ形状を有している。
【００５６】
本体部２には、第一脆弱部１４と、第二脆弱部１５又は本体部２の外周縁２ｅとによって囲まれる包囲部１６が設けられている。図１２の平面視で、本体部２には、１本の底辺の両端の内角が互いに等しい等脚台形状の等脚台形包囲部１６ａと、１本の底辺の両端の内角が互いに異なる台形状の台形包囲部１６ｂ（以下「異脚台形包囲部１６ｂ」ともいう。）と、三角形状の三角形包囲部１６ｃと、が設けられている。
【００５７】
図１２において、本体部２には、９つの等脚台形包囲部１６ａと、３つの異脚台形包囲部１６ｂと、３つの三角形包囲部１６ｃと、が設けられている。図１２の平面視で、９つの等脚台形包囲部１６ａと、３つの異脚台形包囲部１６ｂと、３つの三角形包囲部１６ｃとは、それぞれ互いに同じ形状（線対称形状を含む。）を有している。本変形例では、図１２の平面視で、第二方向Ｖ２に隣り合う２つの等脚台形包囲部１６ａは、第二脆弱部１５（第一方向Ｖ１に延びる直線部）を対称軸として線対称となっている。
【００５８】
本変形例によれば、平面視で第一脆弱部１４の長さが仮想直線Ｌ１の長さよりも長いことで、平面視で第一脆弱部１４の長さが仮想直線Ｌ１と同じ場合（図１１の比較例参照）と比較して、第一脆弱部１４の長さが長くなるため、養生材１１にかかる引張力が第一脆弱部１４で分散されやすくなる。すなわち、平面視で第一脆弱部１４の長さが仮想直線Ｌ１の長さと同じ場合と比較して、第一脆弱部１４に沿って養生材１１が破断しにくくなる。したがって、破断強度を確保しつつ、使用後に廃棄物として減容しやすい養生材１１を提供することができる。加えて、脆弱部交点Ｐｃからの分岐数が４であることで、養生材１１を使用後に廃棄物として減容しやすい。
【００５９】
また、本変形例では、平面視で第二脆弱部１５が第一方向Ｖ１に直線状に延びていることで、平面視で第二脆弱部１５が屈曲しながら延びる場合と比較して、第二脆弱部１５に沿って養生材１１を千切りやすくなるため、養生材１１を細分化しやすくなる。
【００６０】
本変形例において、図１２のドットハッチで示す三角形包囲部１６ｃが脆弱部１３を斜辺に有する直角三角形をなしている場合、直角を挟む２辺のうち長辺と短辺との比（長辺：短辺）が２：１のとき、第一脆弱部１４の長さは仮想直線Ｌ１の長さの約１.１倍となり、脆弱部傾斜角度は約２６．５度となる。
本願発明者は、本変形例の有効性を確認すべく、上記評価試験と同様に、養生材１１の破断強度の評価試験を行った。
評価試験の結果、比較例の破断強度２．４ｋｇに対し、本実施例（第一変形例）の破断強度は３．４ｋｇであった。
【００６１】
＜第二変形例＞
上記第一変形例では、図１２の平面視で、脆弱部１３が養生材１１の本体部２において台形を隙間なく並べた構造を有している場合において、第二方向Ｖ２に隣り合う２つの等脚台形包囲部１６ａは、第二脆弱部１５（第一方向Ｖ１に延びる直線部）を対称軸として線対称となっている例を挙げて説明したが、これに限らない。例えば、図１３の平面視で、脆弱部２３が養生材２１の本体部２において台形を隙間なく並べた構造を有している場合において、第二方向Ｖ２に隣り合う２つの等脚台形包囲部１６ａは、互いに同じ形状を有していてもよい。図１３において、符号２４は第一脆弱部、符号２５は第二脆弱部をそれぞれ示す。なお、図１３の平面視で、脆弱部交点Ｐｃからのミシン目の分岐数は３である。
【００６２】
本変形例において、第一脆弱部２４の長さは仮想直線Ｌ１の長さの約１.４３倍となり、脆弱部傾斜角度Ａは約２６．５度となる。
本願発明者は、本変形例の有効性を確認すべく、上記評価試験と同様に、養生材２１の破断強度の評価試験を行った。
評価試験の結果、比較例の破断強度２．４ｋｇに対し、本実施例（第二変形例）の破断強度は４．６ｋｇであった。
【００６３】
＜第三変形例＞
例えば、図１４の平面視で、脆弱部３３は、養生材３１の本体部２において、平行四辺形を隙間なく並べた構造を有していてもよい。脆弱部３３は、本体部２の第一辺２ａから第二辺２ｂにかけて本体部２を横断するように屈曲しながら延びる複数の第一脆弱部３４と、第一脆弱部３４と交差するように第一方向Ｖ１に直線状に延びる複数の第二脆弱部３５と、を備えている。図１４の平面視で、脆弱部交点Ｐｃからのミシン目の分岐数は３である。
【００６４】
図１４の平面視で、第一脆弱部３４の長さは、第一脆弱部３４の始点Ｐ１と終点Ｐ２とを結んだ仮想直線Ｌ１の長さよりも長い。
図１４の平面視で、隣り合う２つの第一脆弱部３４は、互いに同じ形状を有している。
図１４の平面視で、隣り合う２つの第二脆弱部３５は、互いに同じ形状を有している。
【００６５】
本体部２には、第一脆弱部３４と、第二脆弱部３５又は本体部２の外周縁２ｅとによって囲まれる包囲部３６が設けられている。図１４の平面視で、本体部２には、平行四辺形状の平行四辺形包囲部３６ａと、台形状の台形包囲部３６ｂと、三角形状の三角形包囲部３６ｃと、が設けられている。
【００６６】
図１４において、本体部２には、９つの平行四辺形包囲部３６ａと、３つの台形包囲部３６ｂと、３つの三角形包囲部３６ｃと、が設けられている。図１４の平面視で、９つの平行四辺形包囲部３６ａと、３つの台形包囲部３６ｂと、３つの三角形包囲部３６ｃとは、それぞれ互いに同じ形状（線対称形状を含む。）を有している。本変形例では、図１４の平面視で、第二方向Ｖ２に隣り合う２つの平行四辺形包囲部３６ａは、第一方向Ｖ１にオフセットするとともに、第二脆弱部３５（第一方向Ｖ１に延びる直線部）を対称軸として線対称となっている。
【００６７】
本変形例によれば、平面視で第一脆弱部３４の長さが仮想直線Ｌ１の長さよりも長いことで、平面視で第一脆弱部３４の長さが仮想直線Ｌ１と同じ場合（図１１の比較例参照）と比較して、第一脆弱部３４の長さが長くなるため、養生材３１にかかる引張力が第一脆弱部３４で分散されやすくなる。すなわち、平面視で第一脆弱部３４の長さが仮想直線Ｌ１の長さと同じ場合と比較して、第一脆弱部３４に沿って養生材３１が破断しにくくなる。したがって、破断強度を確保しつつ、使用後に廃棄物として減容しやすい養生材３１を提供することができる。
【００６８】
また、本変形例では、平面視で第二脆弱部３５が第一方向Ｖ１に直線状に延びていることで、平面視で第二脆弱部３５が屈曲しながら延びる場合と比較して、第二脆弱部３５に沿って養生材３１を千切りやすくなるため、養生材３１を細分化しやすくなる。
【００６９】
本変形例において、第一脆弱部３４の長さは仮想直線Ｌ１の長さの約１.４３倍となり、脆弱部傾斜角度Ａは約２６．５度となる。
本願発明者は、本変形例の有効性を確認すべく、上記評価試験と同様に、養生材３１の破断強度の評価試験を行った。
評価試験の結果、比較例の破断強度２．４ｋｇに対し、本実施例（第三変形例）の破断強度は３．９ｋｇであった。
【００７０】
＜第四変形例＞
上記第三変形例では、図１４の平面視で、脆弱部３３が養生材３１の本体部２において平行四辺形を隙間なく並べた構造を有している場合において、第二方向Ｖ２に隣り合う２つの平行四辺形包囲部３６ａは、第一方向Ｖ１にオフセットするとともに、第二脆弱部３５（第一方向Ｖ１に延びる直線部）を対称軸として線対称となっている例を挙げて説明したが、これに限らない。例えば、図１５の平面視で、脆弱部４３が養生材４１の本体部２において平行四辺形を隙間なく並べた構造を有している場合において、第二方向Ｖ２に隣り合う２つの平行四辺形包囲部３６ａは、互いに同じ形状を有していてもよい。図１５において、符号４４は第一脆弱部、符号４５は第二脆弱部をそれぞれ示す。なお、図１５の平面視で、脆弱部交点Ｐｃからのミシン目の分岐数は３である。
【００７１】
本変形例において、第一脆弱部４４の長さは仮想直線Ｌ１の長さの約１.４３倍となり、脆弱部傾斜角度Ａは約２６．５度となる。
本願発明者は、本変形例の有効性を確認すべく、上記評価試験と同様に、養生材４１の破断強度の評価試験を行った。
評価試験の結果、比較例の破断強度２．４ｋｇに対し、本実施例（第四変形例）の破断強度は３．６ｋｇであった。
【００７２】
＜第五変形例＞
例えば、図１６の平面視で、脆弱部５３は、養生材５１の本体部２において、矩形を隙間なく並べた構造を有していてもよい。脆弱部５３は、本体部２の第一辺２ａから第二辺２ｂにかけて本体部２を横断するように屈曲しながら延びる複数の第一脆弱部５４と、第一脆弱部５４と交差するように第一方向Ｖ１に直線状に延びる複数の第二脆弱部５５と、を備えている。図１６の平面視で、脆弱部交点Ｐｃからのミシン目の分岐数は３である。
【００７３】
図１６の平面視で、第一脆弱部５４の長さは、第一脆弱部５４の始点Ｐ１と終点Ｐ２とを結んだ仮想直線Ｌ１の長さよりも長い。
図１６の平面視で、隣り合う２つの第一脆弱部５４は、互いに同じ形状を有している。
図１６の平面視で、隣り合う２つの第二脆弱部５５は、互いに同じ形状を有している。
【００７４】
本体部２には、第一脆弱部５４と、第二脆弱部５５又は本体部２の外周縁２ｅとによって囲まれる包囲部５６が設けられている。図１６の平面視で、本体部２には、正方形状の正方形包囲部５６ａと、第二方向Ｖ２に長手を有する長方形状の長方形包囲部５６ｂと、が設けられている。
【００７５】
図１６において、本体部２には、１０個の正方形包囲部５６ａと、４つの長方形包囲部５６ｂと、が設けられている。図１６の平面視で、１０個の正方形包囲部５６ａと、４つの長方形包囲部５６ｂとは、それぞれ互いに同じ形状を有している。本変形例では、脆弱部交点Ｐｃは、正方形包囲部５６ａの一辺（第一方向Ｖ１に長手を有する辺）の中点に位置している。
【００７６】
本変形例によれば、平面視で第一脆弱部５４の長さが仮想直線Ｌ１の長さよりも長いことで、平面視で第一脆弱部５４の長さが仮想直線Ｌ１と同じ場合（図１１の比較例参照）と比較して、第一脆弱部５４の長さが長くなるため、養生材５１にかかる引張力が第一脆弱部５４で分散されやすくなる。すなわち、平面視で第一脆弱部５４の長さが仮想直線Ｌ１の長さと同じ場合と比較して、第一脆弱部５４に沿って養生材５１が破断しにくくなる。したがって、破断強度を確保しつつ、使用後に廃棄物として減容しやすい養生材５１を提供することができる。
【００７７】
また、本変形例では、平面視で第二脆弱部５５が第一方向Ｖ１に直線状に延びていることで、平面視で第二脆弱部５５が屈曲しながら延びる場合と比較して、第二脆弱部５５に沿って養生材５１を千切りやすくなるため、養生材５１を細分化しやすくなる。
【００７８】
本変形例において、第一脆弱部５４の長さは仮想直線Ｌ１の長さの約１.３３倍となる。
本願発明者は、本変形例の有効性を確認すべく、上記評価試験と同様に、養生材５１の破断強度の評価試験を行った。
評価試験の結果、比較例の破断強度２．４ｋｇに対し、本実施例（第五変形例）の破断強度は２．６ｋｇであった。
【００７９】
＜第六変形例＞
例えば、図１７の平面視で、脆弱部６３は、本体部２の第一辺２ａから第二辺２ｂにかけて本体部２を横断するように、第三辺２ｃ側に急峻な凸をなすＶ字状（いわゆる逆Ｖ字状）をなしてジグザグ状に延びていてもよい。図１７の平面視で、脆弱部交点Ｐｃからのミシン目の分岐数は２である。なお、本変形例では、第二脆弱部は設けられていない。
【００８０】
本変形例において、脆弱部６４の長さは仮想直線Ｌ１の長さの約６倍となり、脆弱部傾斜角度Ａは約８０度となる。
【００８１】
＜第七変形例＞
上記実施形態では、図４の平面視で脆弱部３が養生材１の本体部２において六角形を隙間なく並べた構造（いわゆるハニカム構造）を有している場合、六角形包囲部６ａは、第一方向Ｖ１に長手を有し、第二方向Ｖ２に短手を有している例を挙げて説明したが、これに限らない。例えば、図１８の平面視で、脆弱部７３が養生材７１の本体部２において六角形を隙間なく並べた構造を有している場合、六角形包囲部７６ａは、基準線Ｈ１と交差する方向（具体的には、第一方向Ｖ１及び第二方向Ｖ２と交差する方向）に長手を有していてもよい。本変形例では、六角形包囲部７６ａは、基準線Ｈ１と約４５度をなして交差する仮想線Ｈ２と平行な方向に長手を有している。図１８において、符号７４は第一脆弱部、符号７５は第二脆弱部をそれぞれ示す。なお、図１８の平面視で、脆弱部交点Ｐｃからのミシン目の分岐数は３である。
【００８２】
本変形例において、第一脆弱部７４の長さは仮想直線Ｌ１の長さの約１.０８倍となり、脆弱部傾斜角度Ａは約４５度となる。
本願発明者は、本変形例の有効性を確認すべく、上記評価試験と同様に、養生材７１の破断強度の評価試験を行った。
評価試験の結果、比較例の破断強度２．４ｋｇに対し、本実施例（第七変形例）の破断強度は４．２ｋｇであった。
【００８３】
＜第八変形例＞
例えば、図１９の平面視で、脆弱部８３は、養生材８１の本体部２において、三角形を隙間なく並べた構造を有していてもよい。脆弱部８３は、本体部２の第一辺２ａから第二辺２ｂにかけて本体部２を横断するようにジグザグ状に延びる複数の第一脆弱部８４と、第一脆弱部８４と交差するように第一方向Ｖ１に直線状に延びる複数の第二脆弱部８５と、を備えている。図１９の平面視で、脆弱部交点Ｐｃからのミシン目の分岐数は４である。
【００８４】
図１９の平面視で、第一脆弱部８４の長さは、第一脆弱部８４の始点Ｐ１と終点Ｐ２とを結んだ仮想直線Ｌ１の長さよりも長い。
図１９の平面視で、隣り合う２つの第一脆弱部８４は、線対称に配置されている。図１９において、符号Ｃ１は対称軸を示す。
図１９の平面視で、隣り合う２つの第二脆弱部８５は、互いに同じ形状を有している。
【００８５】
本体部２には、第一脆弱部８４と、第二脆弱部８５又は本体部２の外周縁２ｅとによって囲まれる包囲部８６が設けられている。図１９の平面視で、本体部２には、三角形状の三角形包囲部８６ａ（以下「大三角形包囲部８６ａ」ともいう。）と、大三角形包囲部８６ａの半分の大きさを有する三角形状の小三角形包囲部８６ｂと、が設けられている。
【００８６】
図１９において、本体部２には、９つの大三角形包囲部８６ａと、６つの小三角形包囲部８６ｂと、が設けられている。図１９の平面視で、９つの大三角形包囲部８６ａと、６つの小三角形包囲部８６ｂとは、それぞれ互いに同じ形状（線対称形状を含む。）を有している。本変形例では、脆弱部交点Ｐｃは、大三角形包囲部８６ａの一辺（第一方向Ｖ１に長手を有する辺）の中点に位置している。
【００８７】
本変形例によれば、平面視で第一脆弱部８４の長さが仮想直線Ｌ１の長さよりも長いことで、平面視で第一脆弱部８４の長さが仮想直線Ｌ１と同じ場合（図１１の比較例参照）と比較して、第一脆弱部８４の長さが長くなるため、養生材８１にかかる引張力が第一脆弱部８４で分散されやすくなる。すなわち、平面視で第一脆弱部８４の長さが仮想直線Ｌ１の長さと同じ場合と比較して、第一脆弱部８４に沿って養生材８１が破断しにくくなる。したがって、破断強度を確保しつつ、使用後に廃棄物として減容しやすい養生材８１を提供することができる。加えて、脆弱部交点Ｐｃからの分岐数が４であることで、養生材８１を使用後に廃棄物として減容しやすい。
【００８８】
また、本変形例では、平面視で第二脆弱部８５が第一方向Ｖ１に直線状に延びていることで、平面視で第二脆弱部８５が屈曲しながら延びる場合と比較して、第二脆弱部８５に沿って養生材８１を千切りやすくなるため、養生材８１を細分化しやすくなる。
【００８９】
本変形例において、第一脆弱部８４の長さは仮想直線Ｌ１の長さの約１.９７倍となり、脆弱部傾斜角度Ａは約４５度となる。
本願発明者は、本変形例の有効性を確認すべく、上記評価試験と同様に、養生材８１の破断強度の評価試験を行った。
評価試験の結果、比較例の破断強度２．４ｋｇに対し、本実施例（第八変形例）の破断強度は５．０ｋｇであった。
【００９０】
＜第九変形例＞
例えば、図２０の平面視で、脆弱部９３は、本体部２において、クランク形状（Ｚ字状）の図形を隙間なく並べた構造を有していてもよい。言い換えると、クランク形状は、長方形において対角（４つの角のうち１本の対角線上で対向する２つの角）に入隅を設けた形状である。脆弱部９３は、本体部２の第一辺２ａから第二辺２ｂにかけて本体部２を横断するように屈曲しながら延びる複数の第一脆弱部９４と、第一脆弱部９４と交差するように第一方向Ｖ１に直線状に延びる複数の第二脆弱部９５と、を備えている。図２０の平面視で、脆弱部交点Ｐｃからのミシン目の分岐数は３である。
【００９１】
図２０の平面視で、第一脆弱部９４の長さは、第一脆弱部９４の始点Ｐ１と終点Ｐ２とを結んだ仮想直線Ｌ１の長さよりも長い。
図２０の平面視で、隣り合う２つの第一脆弱部９４は、互いに同じ形状を有している。
図２０の平面視で、隣り合う２つの第二脆弱部９５は、互いに同じ形状を有している。
【００９２】
本体部２には、第一脆弱部９４と、第二脆弱部９５又は本体部２の外周縁２ｅとによって囲まれる包囲部９６が設けられている。図２０の平面視で、本体部２には、クランク形状のクランク形包囲部９６ａと、Ｌ字状のＬ字包囲部９６ｂと、矩形状の矩形包囲部９６ｃと、が設けられている。
【００９３】
図２０において、本体部２には、９つのクランク形包囲部９６ａと、３つのＬ字包囲部９６ｂと、３つの矩形包囲部９６ｃと、が設けられている。図２０の平面視で、９つのクランク形包囲部９６ａと、３つのＬ字包囲部９６ｂと、３つの矩形包囲部９６ｃとは、それぞれ互いに同じ形状を有している。本変形例では、脆弱部交点Ｐｃは、クランク形包囲部９６ａの一辺（第一方向Ｖ１に長手を有する辺）の中点に位置している。
【００９４】
本変形例によれば、平面視で第一脆弱部９４の長さが仮想直線Ｌ１の長さよりも長いことで、平面視で第一脆弱部９４の長さが仮想直線Ｌ１と同じ場合（図１１の比較例参照）と比較して、第一脆弱部９４の長さが長くなるため、養生材９１にかかる引張力が第一脆弱部９４で分散されやすくなる。すなわち、平面視で第一脆弱部９４の長さが仮想直線Ｌ１の長さと同じ場合と比較して、第一脆弱部９４に沿って養生材９１が破断しにくくなる。したがって、破断強度を確保しつつ、使用後に廃棄物として減容しやすい養生材９１を提供することができる。
【００９５】
また、本変形例では、平面視で第二脆弱部９５が第一方向Ｖ１に直線状に延びていることで、平面視で第二脆弱部９５が屈曲しながら延びる場合と比較して、第二脆弱部９５に沿って養生材９１を千切りやすくなるため、養生材９１を細分化しやすくなる。
【００９６】
本変形例において、第一脆弱部９４の長さは仮想直線Ｌ１の長さの約１.８１倍となる。
本願発明者は、本変形例の有効性を確認すべく、上記評価試験と同様に、養生材９１の破断強度の評価試験を行った。
評価試験の結果、比較例の破断強度２．４ｋｇに対し、本実施例（第九変形例）の破断強度は４．１ｋｇであった。
【００９７】
＜第十変形例＞
例えば、図２１の平面視で、脆弱部１０３は、養生材１０１の本体部２において、十字状の図形を隙間なく並べた構造を有していてもよい。言い換えると、十字状は、長方形において４つの角に入隅を設けた形状である。
【００９８】
本体部２には、第一脆弱部１０４と、第二脆弱部１０５又は本体部２の外周縁２ｅとによって囲まれる包囲部１０６が設けられている。図２１の平面視で、本体部２には、十字状の十字包囲部１０６ａと、Ｔ字状のＴ字包囲部１０６ｂと、Ｌ字状のＬ字包囲部１０６ｃと、第二方向Ｖ２内側に向けて凸をなす凸状包囲部１０６ｄと、正方形状の正方形包囲部１０６ｅと、第一方向Ｖ１に長手を有する長方形状の長方形包囲部１０６ｆと、が設けられている。
【００９９】
図２１において、本体部２には、６つの十字包囲部１０６ａと、２つのＴ字包囲部１０６ｂと、１つのＬ字包囲部１０６ｃと、３つの凸状包囲部１０６ｄと、３つの正方形包囲部１０６ｅと、４つの長方形包囲部１０６ｆと、が設けられている。図２１の平面視で、６つの十字包囲部１０６ａと、２つのＴ字包囲部１０６ｂと、３つの凸状包囲部１０６ｄと、３つの正方形包囲部１０６ｅと、４つの長方形包囲部１０６ｆとは、それぞれ互いに同じ形状（線対称形状を含む。）を有している。本変形例では、脆弱部交点Ｐｃは、十字包囲部１０６ａの一辺（第二方向Ｖ２に長手を有する辺）の中点に位置している。図２１の平面視で、脆弱部交点Ｐｃからのミシン目の分岐数は３である。
【０１００】
本変形例において、第一脆弱部１０４の長さは仮想直線Ｌ１の長さの約１.８１倍となる。
本願発明者は、本変形例の有効性を確認すべく、上記評価試験と同様に、養生材１０１の破断強度の評価試験を行った。
評価試験の結果、比較例の破断強度２．４ｋｇに対し、本実施例（第十変形例）の破断強度は３．９ｋｇであった。
【０１０１】
＜第十一変形例＞
上記実施形態では、図２の平面視で、第一脆弱部４は、養生材１の本体部２の第一辺２ａから第二辺２ｂにかけて本体部２を横断するようにジグザグ状に延びている例を挙げて説明したが、これに限らない。例えば、図２２の平面視で、脆弱部１１３は、本体部２の第一辺２ａから第二辺２ｂにかけて本体部２を横断するように、第三辺２ｃ側にゆるやかな凸をなすＶ字状（いわゆる逆Ｖ字状）をなして延びていてもよい。図２２において、脆弱部１１３は、第一方向Ｖ１に間隔をあけて４つ設けられている。本変形例では、図２２の平面視で、第一方向Ｖ１に隣り合う２つの脆弱部１１３は、互いに同じ形状を有している。図２２の平面視で、脆弱部交点Ｐｃからのミシン目の分岐数は２である。なお、本変形例では、第二脆弱部は設けられていない。
【０１０２】
本変形例によれば、平面視で隣り合う２つの脆弱部１１３が互いに同じ形状を有することで、複数の脆弱部１１３で養生材１１１を千切ったときに、細分化した養生材１１１（すなわち、養生材１１１を細分化して得られる複数の破断片）をそれぞれ同じ形状とすることができる。したがって、養生材１１１を使用後に廃棄物として一層減容しやすくなる。
【０１０３】
本変形例において、脆弱部１１３の長さは仮想直線Ｌ１の長さの約１.０５倍となり、脆弱部傾斜角度Ａは約１８．４度となる。
本願発明者は、本変形例の有効性を確認すべく、上記評価試験と同様に、養生材１１１の破断強度の評価試験を行った。
評価試験の結果、比較例の破断強度２．４ｋｇに対し、本実施例（第十一変形例）の破断強度は２．７ｋｇであった。
【０１０４】
＜第十二変形例＞
上記第十一変形例では、図２２の平面視で、第一方向Ｖ１に隣り合う２つの脆弱部１１３が互いに同じ形状を有している例を挙げて説明したが、これに限らない。例えば、図２３の平面視で、第一方向Ｖ１に隣り合う２つの脆弱部１２３は、線対称に配置されていてもよい。図２３において、符号Ｃ１は対称軸を示す。
【０１０５】
図２３の平面視で、対称軸Ｃ１よりも第三辺２ｃ側に位置する脆弱部１２４（以下「第三辺側脆弱部１２４」ともいう。）は、本体部２の第一辺２ａから第二辺２ｂにかけて本体部２を横断するように、第三辺２ｃ側にゆるやかな凸をなすＶ字状（いわゆる逆Ｖ字状）をなして延びている。
一方、対称軸Ｃ１よりも第四辺２ｄ側に位置する脆弱部１２５（以下「第四辺側脆弱部１２５」ともいう。）は、本体部２の第一辺２ａから第二辺２ｂにかけて本体部２を横断するように、第四辺２ｄ側にゆるやかな凸をなすＶ字状をなして延びている。
すなわち、本変形例では、図２３の平面視で、脆弱部１２３は、第三辺側脆弱部１２４と第四辺側脆弱部１２５とが第一方向Ｖ１に交互に並んで構成されている。図２３の平面視で、脆弱部交点Ｐｃからのミシン目の分岐数は２である。
【０１０６】
本変形例によれば、平面視で隣り合う２つの脆弱部１２３（第三辺側脆弱部１２４及び第四辺側脆弱部１２５）が線対称に配置されていることで、養生材１２１に引張力を付与したときに、養生材１２１を引き離す方向へ作用する力（引離力）を互いに異ならせることができる。したがって、養生材１２１を破断しにくくすることができる。
【０１０７】
本変形例において、脆弱部１２３（第三辺側脆弱部１２４及び第四辺側脆弱部１２５）の長さは仮想直線Ｌ１の長さの約１.０５倍となり、脆弱部傾斜角度Ａは約１８．４度となる。
本願発明者は、本変形例の有効性を確認すべく、上記評価試験と同様に、養生材１２１の破断強度の評価試験を行った。
評価試験の結果、比較例の破断強度２．４ｋｇに対し、本実施例（第十二変形例）の破断強度は４．２ｋｇであった。
【０１０８】
＜第十三変形例＞
上記実施形態では、図１の平面視で、脆弱部３が直線形状のみで構成されている例を挙げて説明したが、これに限らない。例えば、図２４の平面視で、脆弱部１３３は、湾曲部１３３ａを含んで構成されていてもよい。
【０１０９】
図２４の平面視で、脆弱部１３３は、養生材１３１の本体部２において湾曲部１３３ａを有する形状を隙間なく並べた構造を有している。図２４の平面視で、脆弱部１３３は、本体部２において六角形のうち第一方向Ｖ１に対向するＶ字部（図２における第三辺側傾斜部４ｃ及び第四辺側傾斜部４ｄ）を、第一方向Ｖ１の外方に凸をなすように湾曲させた形状を隙間なく並べた構造を有している。言い換えると、図２４の平面視で、第一脆弱部１３４は、本体部２の第一辺２ａから第二辺２ｂにかけて本体部２を横断するように湾曲しながら延びている。すなわち、図２４の平面視で、第一脆弱部１３４は、本体部２の第一辺２ａから第二辺２ｂにかけて延びる波線形状をなしている。
【０１１０】
本体部２には、第一脆弱部１３４と、第二脆弱部１３５又は本体部２の外周縁２ｅとによって囲まれる包囲部１３６が設けられている。本変形例では、図２４の平面視で、本体部２には、第一方向Ｖ１に長手を有するとともに、湾曲部１３３ａを含む外形を有する湾曲形包囲部１３６ａが設けられている。図２４の平面視で、脆弱部交点Ｐｃからのミシン目の分岐数は３である。なお、第二脆弱部１３５は、他の変形例と同様に第三辺２ｃと第四辺２ｄとを結ぶように設けられていてもよい。
【０１１１】
本変形例によれば、平面視で本体部２には第一方向Ｖ１に長手を有する湾曲形包囲部１３６ａが設けられていることで、養生材１３１の引張方向を湾曲形包囲部１３６ａの長手方向とした場合は、養生材１３１の引張方向を湾曲形包囲部１３６ａの短手方向とした場合よりも養生材１３１を破断しにくくすることができる。
【０１１２】
本変形例によれば、平面視で第一脆弱部１３４が本体部２の第一辺２ａから第二辺２ｂにかけて延びる波線形状をなしていることで、平面視で第一脆弱部１３４が本体部２の第一辺２ａから第二辺２ｂにかけて直線状に延びている場合よりも、第一脆弱部１３４の長さが長くなるため、養生材１３１にかかる引張力が第一脆弱部１３４で分散されやすくなり、養生材１３１を破断しにくくすることができる。
【０１１３】
＜第十四変形例＞
例えば、図２５の平面視で、脆弱部１４３が養生材１４１の本体部２において六角形を隙間なく並べた構造（いわゆるハニカム構造）を有している場合、包囲部１４６には、ラベル１４７が貼付されていてもよい。例えば、ラベル１４７は、紙又はシールである。本変形例において、ラベル１４７は、保護対象となる部材ごとに貼付される施行説明書（以下、単に「説明書」ともいう。）である。例えば、説明書には、部材（製品）の施工方法、使用方法、品番、仕様、配送先等の情報、注意書き等が記載されている。
【０１１４】
本変形例によれば、包囲部１４６には、ラベル１４７が貼付されていることで、ラベル１４７が貼付された包囲部１４６（以下「ラベル貼付包囲部Ｓ１」ともいう。）のみを切り取ることにより、ラベル貼付包囲部Ｓ１を混合廃棄物、ラベル貼付包囲部Ｓ１以外の他の部分（以下「ラベル非貼付部Ｓ２」ともいう。）を単一性状廃棄物として容易に分別し、リサイクルすることができる。
【０１１５】
＜第十五変形例＞
例えば、図２６の平面視で、脆弱部１５３が養生材１５１の本体部２において矩形を隙間なく並べた構造を有している場合、ラベル１４７は、本体部２のうち第一辺２ａ側において第一方向Ｖ１に並ぶ４つの正方形包囲部１５６ａにのみ設けられていてもよい。すなわち、ラベル１４７は、養生材１５１の一端部にのみ設けられていてもよい。
【０１１６】
本変形例によれば、ラベル非貼付部Ｓ２を単一性状廃棄物としてリサイクルするときに、ラベル貼付包囲部Ｓ１とラベル非貼付部Ｓ２との境界線１５５Ｌ（第一辺２ａ側に位置する第二脆弱部１５５）に沿って養生材１５１を千切ればよいため、工数を削減することができる。
【０１１７】
＜第十六変形例＞
例えば、図２７に示すように、脆弱部１６３が養生材１６１の本体部２において矩形を隙間なく並べた構造を有している場合、ラベル１６７は、本体部２のうち第二方向Ｖ２の中央部において第一方向Ｖ１に並ぶ３つの正方形包囲部１６６ａに跨って設けられていてもよい。すなわち、ラベル１６７は、複数の包囲部に跨って設けられていてもよい。
【０１１８】
＜第十七変形例＞
上記実施形態では、平面視で養生材が矩形状をなしている例を挙げて説明したが、これに限らない。例えば、平面視で、養生材は、矩形状以外の他の形状をなしていてもよい。例えば、図２８に示すように、平面視で、養生材１７１は、台形状をなしていてもよい。本変形例では、脆弱部１７３における第一脆弱部１７４は、本体部１７２の第一辺１７２ａから第二辺１７２ｂ（台形の両脚）にかけて本体部１７２を横断するようにジグザグ状に延びている。なお、図２８において、符号１７５は第二脆弱部を示す。
【０１１９】
＜第十八変形例＞
例えば、図２９に示すように、平面視で、養生材１８１は、円形状をなしていてもよい。本変形例では、脆弱部１８３は、本体部１８２の一方側から他方側（円形において対向する円弧部）にかけて本体部１８２を横断するようにジグザグ状に延びている。言い換えると、図２９の平面視で、脆弱部１８３は、本体部１８２の一方側から他方側に向けて延びる段差形状（階段形状）をなしている。本変形例では、脆弱部１８３は、ミシン目の段差長さが不均一とされている。
【０１２０】
本変形例によれば、平面視で脆弱部１８３が本体部１８２の一方側から他方側にかけて延びる段差形状をなしていることで、平面視で脆弱部１８３が本体部１８２の一方側から他方側にかけて直線状に延びている場合よりも養生材１８１を破断しにくくすることができる。
【０１２１】
なお、本実施形態では、養生材の本体部がミラーマットである例を挙げて説明したが、これに限らない。例えば、本体部は、エアーキャップ、ダンボール又は厚紙であってもよい。
【０１２２】
また、平面視で、脆弱部傾斜角度Ａは、１８度以上かつ８０度以下の角度とすることが好ましい。脆弱部傾斜角度Ａが１８度未満であると、養生材の破断強度を確保することが困難となる可能性があるためである。一方、脆弱部傾斜角度Ａが８０度を超えると、養生材を使用後に廃棄物として減容することが困難となる可能性があるためである。
【０１２３】
＜第二実施形態＞
以下、第二実施形態について説明する。なお、以下の説明においては、上述した実施形態と同様の構成については同一の符号を付して説明を省略する。
上記実施形態では、養生材を２つのフローリング部材の間に挟む例を挙げて説明したが、これに限らない。例えば、養生材で直方体状のブロック部材２１０（図３１参照）を巻回してもよい。
【０１２４】
図３０に示すように、養生材２０１は、長方形のシート状をなしている。脆弱部２０３は、本体部２０２において湾曲部２０３ａを有する形状を隙間なく並べた構造を有している。本実施形態の脆弱部２０３は、第一実施形態の第十三変形例の脆弱部１３３（図２４参照）に相当する。本実施形態において、湾曲形包囲部２０６ａ（包囲部２０６）は、養生材２０１の長手方向に長手を有している。
【０１２５】
湾曲形包囲部２０６ａには、情報２０８が直接印刷されている。情報２０８は、養生材２０１の引張方向である。湾曲形包囲部２０６ａには、養生材２０１の引張方向を示す記号として長手方向に平行な矢印が表示されている。例えば、養生材２０１がロールで出荷される場合、ロールの引き出し方向を強度が強い方向に設定しておくとよい。
【０１２６】
＜ブロック部材の巻回方法＞
次に、ブロック部材の巻回方法の一例について説明する。
本実施形態では、２枚の養生材２０１（第一養生材２０１Ａ及び第二養生材２０１Ｂ）を用いてブロック部材２１０を巻回する例を挙げて説明する。
【０１２７】
まず、図３１に示すように、第一養生材２０１Ａを、ブロック部材２１０の第一軸線Ｊ１（すなわち長軸）の回りに引っ張りながら、ブロック部材２１０を巻回する。これにより、養生材２０１によって、ブロック部材２１０の４つの側面を外方から覆う。必要に応じ、４つの側面が覆われたブロック部材２１０（以下「第一被覆体２１１」ともいう。）において、第一養生材２０１Ａの端部をテープ等で固定する。
【０１２８】
次に、図３２に示すように、第二養生材２０１Ｂを、第一軸線Ｊ１（図３１参照）と交差するブロック部材２１０の第二軸線Ｊ２の回りに引っ張りながら、第一被覆体２１１を巻回する。これにより、第二養生材２０１Ｂによって、第一被覆体２１１を覆う。必要に応じ、第二養生材２０１Ｂによって覆われた第一被覆体２１１（以下「第二被覆体２１２」ともいう。）において、第二養生材２０１Ｂの端部をテープ等で固定する。
以上の工程により、ブロック部材２１０を養生材２０１（第一養生材２０１Ａ及び第二養生材２０１Ｂ）によって二重に覆うことができる。
【０１２９】
本実施形態によれば、ブロック部材２１０が養生材２０１によって二重に覆われていることで、ブロック部材２１０を１枚の養生材２０１のみによって覆われる場合と比較して、ブロック部材２１０を保護する性能を十分に確保することができる。加えて、第一養生材２０１Ａの矢印方向と第二養生材２０１Ｂの矢印方向とをクロスさせてブロック部材２１０を二重に覆うことで、複数の方向に対して強度を強めることができる。加えて、二重に覆われたブロック部材２１０を持ち運ぶときに底が抜けにくくなる。
【０１３０】
また、本実施形態では、湾曲形包囲部２０６ａに情報２０８が直接印刷されていることで、ラベルが不要となるため、ラベルに用いる紙資源などの発生を抑制することができる。
【０１３１】
また、本実施形態では、湾曲形包囲部２０６ａには養生材２０１の引張方向を示す記号が表示されていることで、養生材２０１の引張方向を容易に把握することができる。例えば、ブロック部材２１０を養生材２０１で巻回する際に、どの方向に巻けば養生材２０１が破断し難いかを容易に把握することができる。一方、養生材２０１を使用後に廃棄物として減容する際には、どの方向に引っ張れば養生材２０１が破断し易いかを容易に把握することができるため、工数を削減することができる。
【０１３２】
なお、本実施形態では、湾曲形包囲部２０６ａには養生材２０１の引張方向を示す記号のみが表示されている例を挙げて説明したが、これに限らない。例えば、湾曲形包囲部２０６ａには、更にラベルが貼付されていてもよい。
【０１３３】
また、本実施形態では、ブロック部材２１０を養生材２０１（第一養生材２０１Ａ及び第二養生材２０１Ｂ）によって二重に覆う例を挙げて説明したが、これに限らない。例えば、ブロック部材２１０を１枚の養生材２０１のみによって覆ってもよい。また、ブロック部材２１０を３枚以上の養生材３０１によって３重以上に覆ってもよい。
【０１３４】
＜第三実施形態＞
以下、第三実施形態について説明する。なお、以下の説明においては、上述した実施形態と同様の構成については同一の符号を付して説明を省略する。
上記実施形態では、シート状の養生材で部材を保護する例を挙げて説明したが、これに限らない。例えば、養生材を含む梱包体で部材を梱包してもよい。
【０１３５】
図３３に示すように、梱包体３００は、箱状をなしている。例えば、梱包体３００は、ダンボール箱である。梱包体３００は、鉛直方向Ｖｇにおいて上側に位置する天壁３１０と、鉛直方向Ｖｇにおいて天壁３１０と対向する底壁３１１（図３４参照）と、天壁３１０と底壁３１１との上下間をわたす４つの側壁３１２，３１３，３１４，３１５（第一側壁３１２、第二側壁３１３、第三側壁３１４及び第四側壁３１５、図３４参照）と、を備えた六面体（直方体）である。本実施形態において、六面体の各面の外形は、長方形をなしている。
【０１３６】
梱包体３００は、複数の包囲部３０６が密集して構成された密集包囲部３０６ｅと、密集包囲部３０６ｅを支持するフレーム部３０９と、を備えている。言い換えると、密集包囲部３０６ｅは、フレーム部３０９によって区画されている。フレーム部３０９は、梱包体３００において、骨格をなす部分である。フレーム部３０９には、包囲部３０６（脆弱部３０３）が設けられていない。すなわち、フレーム部３０９は、梱包体３００のうち脆弱部３０３が形成されていない脆弱部非形成部である。
【０１３７】
４つの側壁３１２，３１３，３１４，３１５における天壁３１０側には、把手３２０が設けられている。把手３２０は、天壁３１０の各辺の中央部寄りに配置されている。把手３２０は、フレーム部３０９に設けられている。具体的に、把手３２０は、フレーム部３０９のうち、天壁３１０と側壁とによって形成される角部３０９ａ寄りに設けられている。
【０１３８】
４つの側壁３１２，３１３，３１４，３１５における天壁３１０側には、厚み方向に開口する開口部３０９ｈが設けられている。開口部３０９ｈは、天壁３１０の各辺に沿う長方形状をなしている。なお、開口部３０９ｈの上縁部は、把手３２０に相当する。
【０１３９】
図３４に示すように、各壁は、長方形状をなす本体部３０２と、本体部３０２の一辺側から他辺側に向けて延びるとともに、本体部３０２よりも脆弱な脆弱部３０３と、を備えている。図３３に示すように、脆弱部３０３は、梱包体３００の角部３０９ａを避けた領域に設けられている。
【０１４０】
図３４に示すように、天壁３１０及び底壁３１１における脆弱部３０３ａは、本体部３０２において台形を隙間なく並べた構造を有している。
第一側壁３１２及び第三側壁３１４における脆弱部３０３ｂは、本体部３０２において三角形を隙間なく並べた構造を有している。
第二側壁３１３及び第四側壁３１５における脆弱部３０３ｃは、本体部３０２において湾曲部を有する形状を隙間なく並べた構造を有している。
【０１４１】
図３３に示すように、第一側壁３１２における三角形包囲部３０６ｃは、鉛直方向Ｖｇに長手を有している。第二側壁３１３における湾曲形包囲部３０６ａは、鉛直方向Ｖｇに長手を有している。本実施形態において、各側壁３１２，３１３，３１４，３１５における包囲部３０６は、鉛直方向に長手を有している。
【０１４２】
なお、図３４において、符号３１６は梱包体３００の作製時に隣り合う２面を糊等の接着剤又はステープルで接続するための接続部、符号３１７は梱包体３００の剛性を高めるための補強部をそれぞれ示す。
【０１４３】
本実施形態によれば、梱包体３００が養生材３０１を含むことで、破断強度を確保しつつ、使用後に廃棄物として減容しやすい梱包体３００を提供することができる。
ところで、梱包体が格子状のミシン目（図１１の比較例参照）を有する場合において、梱包機能を保つためには、梱包体を厚くする必要がある。これに対し、本実施形態によれば、梱包体３００が比較例よりも破断しにくい養生材３０１を含むことで、梱包体３００を必要以上に厚くする必要がなくなる。したがって、梱包体３００の原料の使用を抑えることができるため、低コスト化を図ることができる。
【０１４４】
また、本実施形態では、脆弱部３０３が梱包体３００の角部３０９ａを避けた領域に設けられていることで、梱包体３００の角部３０９ａの剛性を確保することができるため、梱包体３００を持ち上げたり、積み重ねたりする際に、梱包体３００が型崩れすることを抑制することができる。
【０１４５】
また、本実施形態では、梱包体３００は、複数の包囲部３０６が密集して構成された密集包囲部３０６ｅと、密集包囲部３０６ｅを支持するフレーム部３０９と、を備えていることで、密集包囲部３０６ｅとフレーム部３０９とを分別することができる。加えて、密集包囲部３０６ｅは千切って減容することができる。
【０１４６】
また、本実施形態では、把手３２０がフレーム部３０９に設けられていることで、梱包体３００を持ち上げたり、積み重ねたりする際に、作業者によるミシン目の破断を抑制することができる。
【０１４７】
また、本実施形態では、各側壁３１２，３１３，３１４，３１５における包囲部３０６が鉛直方向Ｖｇに長手を有していることで、梱包体３００を持ち上げたり、積み重ねたりする際に、鉛直方向Ｖｇに加わる荷重に対する抵抗力（耐力）を高めることができる。
【０１４８】
なお、本実施形態では、開口部３０９ｈの上縁部が把手３２０に相当する例を挙げて説明したが、これに限らない。例えば、フレーム部３０９に樹脂製の把持部材を設けてもよい。この構成によれば、密集包囲部３０６ｅとフレーム部３０９とを分別することで、把持部材を設けた部分を混合廃棄物として容易に分別することができる。
【０１４９】
また、本実施形態では、梱包体３００の一面の形状が長方形である例を挙げて説明したが、これに限らない。例えば、梱包体３００の一面の形状は、長方形以外の多角形であってもよいし、円形又は楕円形であってもよい。
【０１５０】
また、本実施形態では、部材を梱包する梱包体３００であって、上記養生材３０１を含む梱包体３００の例を挙げて説明したが、これに限らない。例えば、部材を包む袋体であって、上記養生材を含む袋体でもよい。
【０１５１】
以下、本発明の態様について説明する。
本発明の一態様は、部材を保護する養生材であって、シート状をなす本体部と、少なくとも前記本体部の一方側から他方側に向けて延びるとともに、前記本体部よりも脆弱な脆弱部と、を備え、平面視で、前記脆弱部の長さは、前記脆弱部の始点と終点とを結んだ仮想直線の長さよりも長いことを特徴とする。
この構成によれば、平面視で脆弱部の長さが仮想直線の長さよりも長いことで、平面視で脆弱部の長さが仮想直線と同じ場合と比較して、脆弱部の長さが長くなるため、養生材にかかる引張力が脆弱部で分散されやすくなる。すなわち、平面視で脆弱部の長さが仮想直線の長さと同じ場合と比較して、脆弱部に沿って養生材が破断しにくくなる。したがって、破断強度を確保しつつ、使用後に廃棄物として減容しやすい養生材を提供することができる。
【０１５２】
本発明の一態様は、平面視で、前記脆弱部の長さは、前記脆弱部の始点と終点とを結んだ仮想直線の長さの１．０５倍以上かつ６倍以下であることを特徴とする。
この構成によれば、養生材の破断強度を確保しつつ、養生材を使用後に廃棄物として減容することができる。仮に、脆弱部の長さが仮想直線の長さの１．０５倍未満であると、養生材の破断強度を確保することが困難となる可能性がある。一方、脆弱部の長さが仮想直線の長さの６倍を超えると、養生材を使用後に廃棄物として減容することが困難となる可能性がある。
【０１５３】
本発明の一態様は、前記脆弱部は、前記本体部の一方側から他方側に向けて複数設けられ、平面視で、隣り合う２つの前記脆弱部は、線対称に配置されていることを特徴とする。この構成によれば、脆弱部が本体部の一方側から他方側に向けて複数設けられていることで、複数の脆弱部で養生材を千切ることができるため、養生材を細分化することができる。したがって、養生材を使用後に廃棄物として減容しやすくなる。加えて、平面視で隣り合う２つの脆弱部が線対称に配置されていることで、養生材に引張力を付与したときに、養生材を引き離す方向へ作用する力（引離力）を互いに異ならせることができる。したがって、養生材を破断しにくくすることができる。
【０１５４】
本発明の一態様は、前記脆弱部は、前記本体部の一方側から他方側に向けて複数設けられ、平面視で、隣り合う２つの前記脆弱部は、互いに同じ形状を有することを特徴とする。
この構成によれば、脆弱部が本体部の一方側から他方側に向けて複数設けられていることで、複数の脆弱部で養生材を千切ることができるため、養生材を細分化することができる。したがって、養生材を使用後に廃棄物として減容しやすくなる。加えて、平面視で隣り合う２つの脆弱部が互いに同じ形状を有することで、複数の脆弱部で養生材を千切ったときに、細分化した養生材（すなわち、養生材を細分化して得られる複数の破断片）をそれぞれ同じ形状とすることができる。したがって、養生材を使用後に廃棄物として一層減容しやすくなる。
【０１５５】
本発明の一態様は、平面視で、前記脆弱部は、前記本体部の一方側から他方側に向けて、折れ線形状、段差形状又は波線形状をなしていることを特徴とする。
この構成によれば、平面視で脆弱部が本体部の一方側から他方側に向けて延びる、折れ線形状、段差形状又は波線形状をなしていることで、平面視で第一脆弱部が本体部の第一辺から第二辺にかけて直線状に延びている場合よりも養生材を破断しにくくすることができる。
【０１５６】
本発明の一態様は、前記脆弱部は、前記本体部の一方側から他方側に向けて延びる第一脆弱部と、前記第一脆弱部と交差する方向に延びる第二脆弱部と、を備え、前記本体部には、前記第一脆弱部と、前記第二脆弱部又は前記本体部の外周縁とによって囲まれる包囲部が設けられていることを特徴とする。
この構成によれば、本体部には、第一脆弱部と、第二脆弱部又は本体部の外周縁とによって囲まれる包囲部が設けられていることで、包囲部に沿って養生材を千切ることができるため、養生材を更に細分化することができる。したがって、養生材を使用後に廃棄物として一層減容しやすくなる。
【０１５７】
本発明の一態様は、平面視で、前記包囲部の形状は、多角形であることを特徴とする。
この構成によれば、平面視で包囲部の形状が多角形であることで、包囲部の形状が出隅のみで構成されるため、包囲部の形状が入隅を含む場合と比較して、包囲部に沿って養生材を千切りやすくなるため、養生材を細分化しやすくなる。したがって、養生材を使用後に廃棄物として一層減容しやすくなる。加えて、複数の破断片を袋詰めすることによって反発が少なく減容できるため、積み重ねて運搬したり、圧縮梱包したりしやすくなる。したがって、運搬工数を削減し、低コスト化を図ることができる。
【０１５８】
本発明の一態様は、平面視で、前記本体部は矩形状をなしており、平面視で、前記本体部の第一辺と第二辺とを結んだ最短の長さの直線と、前記脆弱部の少なくとも一部とのなす角度は、１８度以上かつ８０度以下であることを特徴とする。
この構成によれば、前記角度が１８度以上かつ８０度以下であることで、養生材の破断強度を確保しつつ、養生材を使用後に廃棄物として減容することができる。仮に、前記角度Ａが１８度未満であると、養生材の破断強度を確保することが困難となる可能性がある。一方、前記角度が８０度を超えると、養生材を使用後に廃棄物として減容することが困難となる可能性がある。
【０１５９】
本発明の一態様は、平面視で、前記包囲部は、長手と短手とを有することを特徴とする。
この構成によれば、平面視で、包囲部が長手と短手とを有することで、養生材の引張方向を包囲部の長手方向とした場合は、養生材の引張方向を包囲部の短手方向とした場合よりも養生材を破断しにくくすることができる。
【０１６０】
本発明の一態様は、平面視で、前記第一脆弱部と前記第二脆弱部との交点からの分岐数は、２以上かつ４以下であることを特徴とする。
この構成によれば、前記交点が２以上かつ４以下であることで、養生材を使用後に廃棄物として減容しやすい。仮に、前記交点が４を超えると、養生材が細分化され過ぎてしまい、養生材を使用後に廃棄物として減容することが困難となる可能性がある。
【０１６１】
本発明の一態様は、前記包囲部には、ラベルが貼付されているか、又は、情報が直接印刷されていることを特徴とする。
この構成によれば、包囲部には、ラベルが貼付されているか、又は、情報が直接印刷されていることで、ラベルが貼付された包囲部（又は情報が直接印刷された包囲部）のみを切り取ることにより、包囲部を混合廃棄物、前記包囲部以外の他の部分を単一性状廃棄物として容易に分別し、リサイクルすることができる。特に、包囲部に情報が直接印刷されている場合には、ラベルが不要となるため、ラベルに用いる紙資源などの発生を抑制することができる。
【０１６２】
本発明の一態様は、前記包囲部には、前記養生材の引張方向を示す記号が表示されていることを特徴とする。
この構成によれば、包囲部には養生材の引張方向を示す記号が表示されていることで、養生材の引張方向を容易に把握することができる。
【０１６３】
本発明の一態様は、部材を梱包する梱包体であって、前記養生材を含むことを特徴とする。
この構成によれば、梱包体が上記養生材を含むことで、破断強度を確保しつつ、使用後に廃棄物として減容しやすい梱包体を提供することができる。
【０１６４】
本発明の一態様は、前記脆弱部は、前記梱包体の角部を避けた領域に設けられていることを特徴とする。
この構成によれば、脆弱部が梱包体の角部を避けた領域に設けられていることで、梱包体の角部の剛性を確保することができるため、梱包体を持ち上げたり、積み重ねたりする際に、梱包体が型崩れすることを抑制することができる。
【０１６５】
本発明の一態様は、前記脆弱部は、前記本体部の一方側から他方側に向けて延びる第一脆弱部と、前記第一脆弱部と交差する方向に延びる第二脆弱部と、を備え、前記本体部には、前記第一脆弱部と、前記第二脆弱部又は前記本体部の外周縁とによって囲まれる包囲部が設けられ、前記梱包体は、複数の前記包囲部が密集して構成された密集包囲部と、前記密集包囲部を支持するフレーム部と、を備えていることを特徴とする。
この構成によれば、密集包囲部とフレーム部とを分別することができる。加えて、密集包囲部は千切って減容することができる。
【０１６６】
本発明の一態様は、前記フレーム部には把手が設けられていることを特徴とする。
この構成によれば、把手がフレーム部に設けられていることで、梱包体を持ち上げたり、積み重ねたりする際に、作業者による脆弱部の破断を抑制することができる。
【０１６７】
本発明の一態様は、前記包囲部は、鉛直方向に長手を有することを特徴とする。
この構成によれば、包囲部が鉛直方向に長手を有することで、梱包体を持ち上げたり、積み重ねたりする際に、鉛直方向に加わる荷重に対する抵抗力（耐力）を高めることができる。
【０１６８】
なお、上記実施形態では、包囲部の平面形状が多角形である例として、六角形、台形、三角形、五角形、平行四辺形などを例に挙げて説明したが、これに限らない。例えば、包囲部の平面形状には、上記の形状以外にも、菱形、楕円が含まれていてもよい。
【０１６９】
また、上記実施形態では、脆弱部が本体部の第一辺から第二辺にかけて本体部を横断するように延びている例を挙げて説明したが、これに限らない。例えば、脆弱部は、本体部の第一辺寄りの部分から第二辺寄りの部分に至るまで延びていてもよい。すなわち、少なくとも脆弱部は、本体部の一方側から他方側に向けて延びていればよい。
【０１７０】
また、上記実施形態では、脆弱部がミシン目（本体部を厚み方向に貫通する複数の貫通孔が本体部の一方側から他方側に向けて間欠的に設けられたもの）である例を挙げて説明したが、これに限らない。例えば、脆弱部は、本体部に形成された溝（本体部を厚み方向に貫通しない穴が本体部の一方側から他方側に向けて連続的又は間欠的に設けられたもの）であってもよい。すなわち、脆弱部は、本体部よりも脆弱な部分であればよい。
【０１７１】
そして、上記実施形態における構成は本発明の一例であり、実施形態の構成要素を周知の構成要素に置き換える等、本発明の要旨を逸脱しない範囲で種々の変更が可能である。
【符号の説明】
【０１７２】
１，１Ｘ，１１，２１，３１，４１，５１，６１，７１，８１，９１，１０１，１１１，１２１，１３１，１４１，１５１，１６１，１７１，１８１，２０１，３０１…養生材
２，１７２，１８２，２０２，３０２…本体部
２ａ，１７２ａ…第一辺
２ｂ，１７２ｂ…第二辺
２ｃ…第三辺
２ｄ…第四辺
２ｅ…外周縁
３，１３，２３，３３，４３，５３，６３，７３，８３，９３，１０３，１１３，１２３，１３３，１４３，１５３，１６３，１７３，１８３，２０３，３０３，３０３ａ，３０３ｂ，３０３ｃ…脆弱部
３Ｘ…ミシン目
４，１４，２４，３４，４４，５４，７４，８４，９４，１０４，１３４，１７４…第一脆弱部
４ａ…第三辺側第一脆弱部
４ｂ…第四辺側第一脆弱部
４ｃ…第三辺側傾斜部
４ｄ…第四辺側傾斜部
５，１５，２５，３５，４５，５５，７５，８５，９５，１０５，１３５，１５５，１７５…第二脆弱部
５ａ…第一折れ線部
５ａ１…第一直線部
５ａ２…第一辺側傾斜部
５ｂ…第二折れ線部
５ｂ１…第二直線部
５ｂ２…第二辺側傾斜部
６，１６，３６，５６，８６，９６，１０６，１３６，２０６，３０６…包囲部
６ａ…六角形包囲部
６ｂ…台形包囲部
６ｃ…三角形包囲部
６ｄ…五角形包囲部
６ｅ…密集包囲部
１６ａ…等脚台形包囲部
１６ｂ…異脚台形包囲部
１６ｃ…三角形包囲部
３６ａ…平行四辺形包囲部
３６ｂ…台形包囲部
３６ｃ…三角形包囲部
５６ａ，１５６ａ，１６６ａ…正方形包囲部
５６ｂ…長方形包囲部
７６ａ…六角形包囲部
８６ａ…大三角形包囲部
８６ｂ…小三角形包囲部
９６ａ…クランク形包囲部
９６ｂ…Ｌ字包囲部
９６ｃ…矩形包囲部
１０６ａ…十字包囲部
１０６ｂ…Ｔ字包囲部
１０６ｃ…Ｌ字包囲部
１０６ｄ…凸状包囲部
１０６ｅ…正方形包囲部
１０６ｆ…長方形包囲部
１２４…第三辺側脆弱部
１２５…第四辺側脆弱部
１３３ａ，２０３ａ…湾曲部
１３６ａ，２０６ａ，３０６ａ…湾曲形包囲部
Ｓ１…ラベル貼付包囲部
Ｓ２…ラベル非貼付部
１４７，１６７…ラベル
１５５Ｌ…境界線
２０１Ａ…第一養生材
２０１Ｂ…第二養生材
２０８…情報
２１０…ブロック部材（部材）
２１１…第一被覆体
２１２…第二被覆体
３００…梱包体
３０６ｃ…三角形包囲部
３０９…フレーム部
３０９ａ…角部
３０９ｈ…開口部
３１０…天壁
３１１…底壁
３１２…第一側壁
３１３…第二側壁
３１４…第三側壁
３１５…第四側壁
３１６…接続部
３１７…補強部
３２０…把手
Ａ…脆弱部傾斜角度
Ｃ１…対称軸
Ｆ１…引張力
Ｆ２…分散力
Ｆ３…引離力
Ｈ１…基準線
Ｈ２…仮想線
Ｊ１…第一軸線
Ｊ２…第二軸線
Ｌ１…仮想直線
Ｐ１…始点
Ｐ２…終点
Ｐｃ…脆弱部交点
Ｖ１…第一方向
Ｖ２…第二方向
Ｖｔ…引張方向
Ｖｇ…鉛直方向
【図１】
2019178563.tif 000003
【図２】
2019178563.tif 000004
【図３】
2019178563.tif 000005
【図４】
2019178563.tif 000006
【図５】
2019178563.tif 000007
【図６】
2019178563.tif 000008
【図７】
2019178563.tif 000009
【図８】
2019178563.tif 000010
【図９】
2019178563.tif 000011
【図１０】
2019178563.tif 000012
【図１１】
2019178563.tif 000013
【図１２】
2019178563.tif 000014
【図１３】
2019178563.tif 000015
【図１４】
2019178563.tif 000016
【図１５】
2019178563.tif 000017
【図１６】
2019178563.tif 000018
【図１７】
2019178563.tif 000019
【図１８】
2019178563.tif 000020
【図１９】
2019178563.tif 000021
【図２０】
2019178563.tif 000022
【図２１】
2019178563.tif 000023
【図２２】
2019178563.tif 000024
【図２３】
2019178563.tif 000025
【図２４】
2019178563.tif 000026
【図２５】
2019178563.tif 000027
【図２６】
2019178563.tif 000028
【図２７】
2019178563.tif 000029
【図２８】
2019178563.tif 000030
【図２９】
2019178563.tif 000031
【図３０】
2019178563.tif 000032
【図３１】
2019178563.tif 000033
【図３２】
2019178563.tif 000034
【図３３】
2019178563.tif 000035
【図３４】
2019178563.tif 000036